(57)【特許請求の範囲】
【請求項１】
座部の下方に被掛止体に掛止して背もたれ部に背をもたれかけた際の座椅子の後方への移動を規制する掛止部を備える座椅子であって、
前記座部は、座部用シートと該座部用シートが取り付けられる、少なくとも後辺部、左辺部及び右辺部を有する座部用フレーム部材とから形成され、
前記背もたれ部は、背もたれ用シートと該背もたれ用シートが取り付けられる、少なくとも上辺部、左辺部及び右辺部を有する背もたれ用フレーム部材とから形成され、
前記背もたれ部は前記座部に対して垂直よりもさらに後方に傾斜した角度に固定することができ、
前記背もたれ用フレーム部材のうち前記上辺部を形成する部分の略中央領域は、後方に凸状に湾曲する湾曲部となり、
前記座部用フレーム部材と前記背もたれ用フレーム部材とを連結し、かつ、前記座部と前記背もたれ部とを対向させて折り畳むための折り畳み部を備え、
前記掛止部は、前記座部用フレーム部材のうち前記左辺部及び右辺部を形成する部分の下方にそれぞれ形成される座椅子。
【請求項２】
前記座部用シート及び前記背もたれ用シートは、内部に前記クッション材を配置した袋状に形成され、
前記背もたれ用シートは、前記湾曲部を被覆する被覆部であって、前記湾曲部と前記被覆部との間にクッション材を配置した状態で被覆する前記被覆部を備え、
前記掛止部は、前記座部用フレーム部材のうち前記左辺部及び右辺部を形成する部分の前方先端部分が略Ｕ字状に後方に湾曲してそれぞれ形成され、
前記掛止部の先端をそれぞれ閉塞する閉塞部材を備える
請求項１記載の座椅子。
【発明の詳細な説明】
【技術分野】
【０００１】
本発明は、背もたれの無いベンチなどに設置する座椅子に関する。
【背景技術】
【０００２】
座椅子として、屋内の和室の畳等の上で使用される、座部と背もたれ部から構成され、脚部のないものが知られている。
使用者が着座する座部とは、座椅子の座面となり、背もたれ部とは、使用者の背（上半身）をもたれかける部分である。
【０００３】
一方で、野球場などの屋外に設置されている背もたれの無い固いベンチなどに、観戦のために長時間座っていると、腰や臀部が痛くなるなど、苦痛を感じる観客も少なくなかった。特に年配の方からは、背もたれがあればもっと楽に観戦できるのに、という要望があった。
【０００４】
関連技術として、背もたれ部の下部の座部側に形成した開口部と、背もたれ部の面に臀部の尾骨が当たり、また、背もたれ部に胸椎の上部をもたれ掛けた状態下で、背もたれ部の面と腰椎との間の間隙が生じるが、その間隙に背もたれ部の開口部の上側を軸に取付けられた補助クッション部の飛び出しによって、当該間隔をなくすようにし、背もたれ部を傾動して着座している人体の腰に対して、腰椎の位置が自然の状態に保持されたまま、使用することができる座椅子が開示されている（特許文献１参照）。
【先行技術文献】
【特許文献】
【０００５】
【特許文献１】特開２０１２−４００７９号公報
【発明の概要】
【発明が解決しようとする課題】
【０００６】
しかしながら、特許文献１に開示されている技術では、例えば、屋外に設置されている背もたれの無いベンチなどに、追加的に安定的な背もたれを簡易に実現することは困難であった。
【０００７】
本発明の目的は、背もたれの無いベンチなどに安定的な背もたれを簡易に実現する座椅子を提供することにある。
【課題を解決するための手段】
【００１０】
また、本発明の座椅子は、座部の下方に被掛止体に掛止して背もたれ部に背をもたれかけた際の座椅子の後方への移動を規制する掛止部を備える座椅子であって、前記座部は、座部用シートと該座部用シートが取り付けられる、少なくとも後辺部、左辺部及び右辺部を有する座部用フレーム部材とから形成され、前記背もたれ部は、背もたれ用シートと該背もたれ用シートが取り付けられる、少なくとも上辺部、左辺部及び右辺部を有する背もたれ用フレーム部材とから形成され、前記背もたれ部は前記座部に対して垂直よりもさらに後方に傾斜した角度に固定することができ、前記背もたれ用フレーム部材のうち前記上辺部を形成する部分の略中央領域は、後方に凸状に湾曲する湾曲部となり、前記座部用フレーム部材と前記背もたれ用フレーム部材とを連結し、かつ、前記座部と前記背もたれ部とを対向させて折り畳むための折り畳み部を備え、前記掛止部は、前記座部用フレーム部材のうち前記左辺部及び右辺部を形成する部分の下方にそれぞれ形成される。
【００１１】
このように構成することにより、被掛止体としての背もたれの無いベンチなどに対して、掛止部を単純な作業で掛止することのみで、背もたれ部に背をもたれかけて体重をかけた際に、座椅子が後方へ移動したり、引っくり返ってしまうことを防止することができるので、いわば追加的に安定的な背もたれを簡易に実現することとなる。
また、後辺部、左辺部及び右辺部を有する略コ字状等のシンプルな座部用フレーム部材と、上辺部、左辺部及び右辺部を有する略コ字状等のシンプルな背もたれ用フレーム部材により簡易に骨組み構造が実現できる。
また、座部用シートの存在により被掛止体としての背もたれの無いベンチなどに直接に臀部が接することなく、座部用シートによる快適な座り心地とすることができる。
また、背もたれ用シートの存在により背もたれ部に背をもたれかけて体重をかけた場合であっても快適な座り心地とすることができる。
また、背もたれ部は前記座部に対して垂直よりもさらに後方に傾斜した角度に固定することができるので、背もたれ部に背をもたれかける際に、より背もたれ部に体重をかけ易く腰に負担をかけることがなく、リクライニングシートのようにゆったりと快適な座り心地とすることができる。
また、背もたれ用フレーム部材のうち上辺部を形成する部分の略中央領域は、後方に凸状に湾曲する湾曲部となっているため、背もたれ部に背をもたれかける際に、背（背中）の部分を当該湾曲部で受け止めることとなり、より背もたれ部に体重をかけ易く、リクライニングシートのようにゆったりと快適な座り心地とすることができる。
また、折り畳み部により折り畳んでコンパクトにして収納や持ち運びの際の便宜が図られている。
また、掛止部は、座部用フレーム部材のうち左辺部及び右辺部を形成する部分の下方にそれぞれ形成されるので、被掛止体としての背もたれの無いベンチなどの下方の一部分に構造物が突設されているような状態であっても、当該構造物との衝突を回避すべく左右の掛止部の間に当該構造物がくるように座椅子を設置することで利用が可能となる。
【００１２】
また、本発明の座椅子は、前記座部用シート及び前記背もたれ用シートは、内部に前記クッション材を配置した袋状に形成され、前記背もたれ用シートは、前記湾曲部を被覆する被覆部であって、前記湾曲部と前記被覆部との間にクッション材を配置した状態で被覆する前記被覆部を備え、前記掛止部は、前記座部用フレーム部材のうち前記左辺部及び右辺部を形成する部分の前方先端部分が略Ｕ字状に後方に湾曲してそれぞれ形成され、前記掛止部の先端をそれぞれ閉塞する閉塞部材を備える、ことであってもよい。
【００１３】
このように構成することにより、袋状の座部用シート及び背もたれ用シートの内部にはクッション材が配置されているため、より一層、快適な座り心地とすることができる。
また、背もたれ用シートの被覆部は、上記湾曲部を間にクッション材を配置した状態で被覆しているので、背（背中）の部分を上記湾曲部で受け止める際に、柔らかく受け止めることとなり、より一層、ゆったりと快適な座り心地とすることができる。
また、掛止部は、座部用フレーム部材のうち左辺部及び右辺部を形成する部分の前方先端部分が略Ｕ字状に後方に湾曲してそれぞれ形成されるので、座部用フレーム部材と同一の部材を用いて簡単な曲げ作業や既存の略Ｊ字状の部材の利用により、簡易に実現することができる。
また、閉塞部材により掛止部の先端は閉塞されているので、座椅子の使用者が手指などを突っ込んだりすることなく、安全であり、デザイン性も高く美感に優れている。
【発明の効果】
【００１４】
本発明によれば、背もたれの無いベンチなどに安定的な背もたれを簡易に実現する座椅子を提供することができる。
【図面の簡単な説明】
【００１５】
【図１】本発明の実施の形態における座椅子の開いた状態での骨組みだけを示す斜視図である。
【図２】本発明の実施の形態における座椅子の開いた状態での斜視図である。
【図３】本発明の実施の形態における座椅子の側面視における断面図である。
【図４】本発明の実施の形態における座椅子の折り畳んだ状態での斜視図である。
【図５】本発明の実施の形態における座椅子のベンチにセットして使用する状態を示す斜視図である。
【図６】本発明の実施の形態における座椅子の開いた状態での正面図の写真である。
【図７】本発明の実施の形態における座椅子の開いた状態での背面図の写真である。
【図８】本発明の実施の形態における座椅子の開いた状態での左側面図の写真である。
【図９】本発明の実施の形態における座椅子の開いた状態での右側面図の写真である。
【図１０】本発明の実施の形態における座椅子の開いた状態での平面図の写真である。
【図１１】本発明の実施の形態における座椅子の開いた状態での底面図の写真である。
【発明を実施するための形態】
【００１６】
以下、本発明の実施の形態における座椅子の構成を図面を参照しつつ説明する。
【００１７】
図１は、本実施の形態の座椅子Ｃの開いた状態での骨組みだけを示すものである。
図１を参照すると、座椅子Ｃの骨組みは、主に、座部用フレーム部材としての座部用パイプ１０と、背もたれ用フレーム部材としての背もたれ用パイプ２０と、折り畳み部としての左右の金具３０、ボルト３１及びナット３２とから構成されている。
【００１８】
座部用パイプ１０は、中空の例えば鉄製の径１．８ｃｍ程度の丸型のパイプである。軽量化を実現することができ、座椅子Ｃの組み立て作業や、持ち運びの際の便宜が図られている。材質はアルミ製等であってもよい。
座部用パイプ１０は、後辺部１１、左辺部１２及び右辺部１３を有しており、図１の状態で平面視において前方が開口した略コ字状に形成されている。本実施の形態では３本のパイプが溶接された状態で実現されている。前辺部や補強のための補助フレーム等を有していることであってもよい。
後辺部１１の長さ寸法は約４０ｃｍであり、左辺部１２及び右辺部１３の長さ寸法は約２７ｃｍである。
座部用パイプ１０の左辺部１２及び右辺部１３の前方先端部分が略Ｕ字状に後方に湾曲してそれぞれ掛止部１４、掛止部１５が形成されている。この湾曲は、簡単なパイプの曲げ作業や既存の略Ｊ字状のパイプの利用により簡易に実現することができる。略Ｕ字状の高さ（Ｕ字の二本のパイプ間の意味）寸法は約５ｃｍであり、湾曲して後方に延伸する長さ寸法は約８ｃｍである。
掛止部１４及び掛止部１５は、被掛止体としての後述するベンチＳなどに掛止して、後述する背もたれ部２に背をもたれかけた際の座椅子Ｃの後方への移動を規制する機能を有している。
掛止部１４及び掛止部１５は、上記の機能を果たす限り、略Ｕ字状に限らずどのような形状であってもよく、形成される位置も座部用パイプ１０の左辺部１２及び右辺部１３の下方の任意の位置のみならず、後述する座部１の下方の任意の位置であってよい。さらに、掛止部１４及び掛止部１５は２個でなく、３個以上であっても、また一体的に１個の形状に種々の材質等により形成されることであってもよい。
掛止部１４、掛止部１５の先端は中空部分が開放しているので、閉塞部材としての左右のキャップ４０が被せられている。キャップ４０は、例えば、樹脂製の、長さ寸法が約６ｃｍで厚み寸法が約１ｍｍの黒色の部材であるが、閉塞機能を有している種々の公知の部材が適用されてよい。座椅子の使用者が中空部分に手指などを突っ込んだりすることができなくなり、安全性が高められて、デザイン性も高く美感に優れることとなる。
なお、掛止部１４、掛止部１５の先端が開放していないタイプのパイプを用いている場合には、閉塞部材としては、そのパイプの先端面を形成する鉄やアルミなどが相当することとなる。
【００１９】
背もたれ用パイプ２０は、中空の例えば鉄製の径１．８ｃｍ程度の丸型のパイプである。軽量化を実現することができ、座椅子Ｃの組み立て作業や、持ち運びの際の便宜が図られている。材質はアルミ製等であってもよい。
背もたれ用パイプ２０は、上辺部２１、左辺部２２及び右辺部２３を有しており、図１の状態で正面視において下方が開口した略コ字状（略コ字状の角を丸く処理したもので、１本のパイプを曲げて処理したものであり略Ｕ字状ともいえる。）に形成されている。下辺部や補強のための補助フレーム等を有していることであってもよい。
上辺部２１の長さ寸法は約４０ｃｍであり、左辺部２２及び右辺部２３の長さ寸法は約３１ｃｍである。
背もたれ用パイプ２０の上辺部２１の略中央部分（両端から４ｃｍ以外の部分）が後方に寸法約１．５ｃｍほど凸状にゆるやかに湾曲させられて湾曲部２１ａが形成されている。この湾曲は、簡単なパイプの曲げ作業により簡易に実現することができる。
【００２０】
金具３０は略くの字状の、長さ寸法が約４ｃｍずつの２辺が１５０度の角度で開く幅寸法が約１、５ｃｍ、厚さ寸法が約１．５ｍｍの一対の鋼板からなる。
【００２１】
金具３０はそれぞれ、孔部を有する１辺が、座部用パイプ１０の左辺部１２、右辺部１３の後ろ寄りの部分（後端から約４ｃｍの位置）に穿設された孔部（径約６ｍｍ）に合わせられて、所定のサイズのボルト３１及びナット３２により回動可能に締結されている。他の１辺は背もたれ用パイプ２０の左辺部２２、右辺部２３の最下端の近傍部分に沿ってスポット溶接、圧着されている。
従って、一対の鋼板である金具３０、ボルト３１及びナット３２により座部用パイプ１０と背もたれ用パイプ２０を連結し、かつ、後述する座部１と背もたれ部２とを対向させて折り畳むことができるようにする機構が形成されている。
なお、図１の座椅子Ｃの開いた状態における座部用パイプ１０と背もたれ用パイプ２０がなす角度は、約１００度である。金具３０の２辺がなす１５０度の角度や金具３０の取り付け位置等に応じて、背もたれ用パイプ２０の左辺部２２、右辺部２３の下端が、座部用パイプ１０の左辺部１２、右辺部１３又は、後辺部１１に当接し、それ以上の後傾移動を規制するからである。すなわち、後述する背もたれ部２を座部１に対して垂直（角度９０度）よりもさらに後方に傾斜した角度に固定することができる。
【００２２】
図２は、本実施の形態の座椅子Ｃの開いた状態における全体の外観を示し、図３は側面視における断面図を示すものである。
図２及び図３を参照すると、座椅子Ｃは、図１に示した骨組みに加えて、主に袋状の座部用シート１００と袋状の背もたれ用シート２００とから構成されている。座部用シート１００及び背もたれ用シート２００は厚み寸法約２ｍｍほどの人工レザーなどの防水性を有する素材からなる。色は、例えば、水色など任意の色が採用されてよい。座部用シート１００は、縦幅の寸法は約２５ｃｍ、横幅の寸法は約３０ｃｍの略矩形状である。背もたれ用シート２００は、縦幅の寸法は約２７ｃｍ、横幅の寸法は約３０ｃｍの略矩形状である。
座部用パイプ１０に座部用シート１００が取り付けられて座部１が形成されている。
また、背もたれ用パイプ２０に背もたれ用シート２００が取り付けられて背もたれ部２が形成されている。
【００２３】
座部用シート１００は、座部用パイプ１０に取り付けるための取付部１１０、１２０が左右にそれぞれ形成されている。
取付部１１０は、一対のシート（座部用シート１００と同一の素材であってよい。）が座部用シート１００に縫い込まれて形成されている。なお、シートの縁をパイプに押さえ部材で押さえて固定したり、パイプを樹脂製として、インサート成形によるシートの縁部を一体化したり、シートの周囲に線材を固定し、この線材をパイプの外周に形成した溝に嵌め込むことであってもよい。
この一対のシートに設けられた面ファスナー機構１１１により、座部用パイプ１０の左辺部１２をこの一対のシートで筒状に包んだうえで再び脱着可能にファスナーを結合して座部用パイプ１０の左辺部１２に取り付けることができる。取付部１１０は、図２において長手方向の寸法が約１６ｃｍ、短手方向の寸法が約５ｃｍの略矩形状である。
同様に、取付部１２０は、一対のシート（座部用シート１００と同一の素材であってよい。）が座部用シート１００に縫い込まれて形成されており、この一対のシートに設けられた面ファスナー機構１２１により、座部用パイプ１０の右辺部１３をこの一対のシートで筒状に包んだうえで再び脱着可能にファスナーを結合して座部用パイプ１０の右辺部１３に取り付けることができる。取付部１２０は、図２において長手方向の寸法が約１６ｃｍ、短手方向の寸法が約５ｃｍの略矩形状である。
面ファスナーに限らず、座部用パイプ１０に取り付ける機能を有するもの（再び脱着可能でなくてもよい。）であれば種々の技術が適用可能である。
【００２４】
背もたれ用シート２００は、背もたれ用パイプ２０に取り付けるための取付部２１０、２２０、２３０が上部及び左右にそれぞれ形成されている。
被覆部としての取付部２１０は、一対のシート（背もたれ用シート２００と同一の素材であってよい。）が背もたれ用シート２００に縫い込まれて形成されており、この一対のシートに設けられた面ファスナー機構２１１により、背もたれ用パイプ２０の上辺部２１の主に湾曲部２１ａ（後述するクッション材１７０が付された状態で。）をこの一対のシートで筒状に包んで被覆したうえで再び脱着可能にファスナーを結合して背もたれ用パイプ２０の上辺部２１に取り付けることができる。取付部２１０は、図２において長手方向の寸法が約２３ｃｍ、短手方向の寸法が約５ｃｍの略矩形状である。
同様に、取付部２２０は、一対のシート（背もたれ用シート２００と同一の素材であってよい。）が背もたれ用シート２００に縫い込まれて形成されている。なお、シートの縁をパイプに押さえ部材で押さえて固定したり、パイプを樹脂製として、インサート成形によるシートの縁部を一体化したり、シートの周囲に線材を固定し、この線材をパイプの外周に形成した溝に嵌め込むことであってもよい。
この一対のシートに設けられた面ファスナー機構２２１により、背もたれ用パイプ２０の左辺部２２をこの一対のシートで筒状に包んだうえで再び脱着可能にファスナーを結合して背もたれ用パイプ２０の左辺部２２に取り付けることができる。取付部２２０は、図２において長手方向の寸法が約１８ｃｍ、短手方向の寸法が約５ｃｍの略矩形状である。
同様に、取付部２３０は、一対のシート（背もたれ用シート２００と同一の素材であってよい。）が背もたれ用シート２００に縫い込まれて形成されており、この一対のシートに設けられた面ファスナー機構２３１により、背もたれ用パイプ２０の右辺部２３をこの一対のシートで筒状に包んだうえで再び脱着可能にファスナーを結合して背もたれ用パイプ２０の右辺部２３に取り付けることができる。取付部２３０は、図２において長手方向の寸法が約１８ｃｍ、短手方向の寸法が約５ｃｍの略矩形状である。
面ファスナーに限らず、背もたれ用パイプ２０に取り付ける機能を有するもの（再び脱着可能でなくてもよい。）であれば種々の技術が適用可能である。
【００２５】
なお、本実施の形態では、座部用シート１００と背もたれ用シート２００は２枚のシート材を縫い合わせて、さらに、上下方向の略中央部を縫い線１３０により縫い合わせて、下方領域を座部用シート１００とし、上方領域を背もたれ用シート２００としている。ただし、座部用シート１００と背もたれ用シート２００をそれぞれ別個に作成することであってもよい。
【００２６】
座部用シート１００は、袋状に形成されており、内部に例えば２ｃｍ程度の肉厚の一回り小さいサイズの略矩形状のウレタン樹脂等からなるクッション材１５０が格納されている。公知のウレタンフォームによる充填成型、ウレタンフォームシート、ウレタンフォームチップシート等の緩衝用として成型等のウレタンフォーム、他の発泡性樹脂、低反発材料・高反発材料の緩衝材、エアクッションタイプの緩衝材であってもよい。
座部用シート１００の中央領域には、クッション材１５０を縫い付けて固定するための縫い目が後方に開口した略コ字状に形成されていてもよい。また、この縫い目により、座部１の座面が使用者の臀部や大腿部を包むように上向き凹状に緩く湾曲させることとなっている。
【００２７】
背もたれ用シート２００は、袋状に形成されており、内部に例えば１．５ｃｍ程度の肉厚の一回り小さいサイズの略矩形状のウレタン樹脂等からなるクッション材１６０が格納されている。使用者の着座時の体圧を受けとめながら、安定性を確保する機能も有している。公知のウレタンフォームによる充填成型、ウレタンフォームシート、ウレタンフォームチップシート等の緩衝用として成型等のウレタンフォーム、他の発泡性樹脂、低反発材料・高反発材料の緩衝材、エアクッションタイプの緩衝材であってもよい。
背もたれ用シート２００の中央領域には、クッション材１６０を縫い付けて固定するための縫い目が下方に開口した略コ字状に形成されていてもよい。また、この縫い目により、背もたれ部２の前面が使用者の背を包むように前向き凹状に緩く湾曲させることとなっている。
【００２８】
また、背もたれ用パイプ２０の上辺部２１の主に湾曲部２１ａには、例えば１ｃｍ程度の肉厚の略矩形状のウレタン樹脂等からなるクッション材１７０が巻きつけられて付されている。使用者の着座時の体圧を受けとめながら、安定性を確保する機能も有している。公知のウレタンフォームによる充填成型、ウレタンフォームシート、ウレタンフォームチップシート等の緩衝用として成型等のウレタンフォーム、他の発泡性樹脂、低反発材料・高反発材料の緩衝材、エアクッションタイプの緩衝材であってもよい。
【００２９】
本実施の形態では、袋状の座部用シート１００の内部にクッション材１５０を格納する際の便宜のため、上記の縫い線１３０の下方（袋状の座部用シート１００側）に、チャック機構１４０が開閉可能に形成されており、このチャックを開けることにより、袋状の座部用シート１００の内部にクッション材１５０を外部から挿入して収容することができる。縫製をきれいに実施するために、袋状の背もたれ用シート２００の内部にクッション材１６０を予め格納した状態で縫製することは許容されるが、袋状の座部用シート１００の内部にクッション材１５０を格納するのは別途、縫製作業が完了した後工程での作業とすべきだからである。もちろんこのようなチャック機構１４０がない形態であってもよい。
【００３０】
図４に、本実施の形態の座椅子Ｃの折り畳んだ状態を示す。
上記の金具３０、ボルト３１及びナット３２により、座部１と背もたれ部２とを対向させて折り畳んでコンパクトにして収納や持ち運びの際の便宜が図られている。重量は全体で約１ｋｇと十分に軽量化が図られている。
座部用パイプ１０の後辺部１１を片手の手指で把持して座椅子Ｃを容易に持ち上げることが可能である。
【００３１】
以下、本実施の形態の座椅子Ｃの使用方法の一例を図面を参照して詳細に説明する。
前提として、被掛止体は、野球場に設置されている複数人掛け用の横長（例えば約５ｍ）の背もたれ部の無いベンチＳであるとする。
ベンチＳは、樹脂製等の弾力性の無い固い材質であり、その厚み寸法は約３ｃｍで、奥行き寸法は約３０ｃｍである。
【００３２】
まず、座椅子Ｃを折り畳んだ状態で野球場のベンチＳの前まで運搬する。重量１ｋｇ程度の軽量であり誰でも簡単に人力で運ぶことができる。
【００３３】
次に、座椅子Ｃを開いた状態にして、図５に示すように、座部用パイプ１０の左辺部１２及び右辺部１３のそれぞれの略Ｕ字状の掛止部１４、掛止部１５をベンチＳに引っかけるようにして掛止させてセットする。略Ｕ字状の高さ（Ｕ字の二本のパイプ間の意味）寸法は約５ｃｍであるため、十分にベンチＳの厚み寸法の約３ｃｍより余裕があり、また湾曲して後方に延伸する長さ寸法は約８ｃｍであるため、グラつくことなく安定的に掛止させることが可能となっている。
このとき、背もたれ部２は座部１に対して垂直（角度９０度）よりもさらに後方に傾斜した角度の約１００度をなす。背もたれ部２に使用者が背をもたれかける際に、より背もたれ部２に体重をかけ易く、腰に負担をかけることがなく、リクライニングシートのようにゆったりと快適な座り心地を実現することができる。また、ベンチＳの後方にも同様のベンチが階段状に設けられている場合等であっても、そのベンチの前の通路との間隔からも角度が約１００度、程度であれば邪魔になることはない。
なお、座椅子Ｃには最も身体に快適な状態に背もたれ部２をリクライニングさせる角度調節機構が設けられていてもよい。
【００３４】
使用者は座椅子Ｃの座部１に臀部を、背もたれ部２に背をつけるように座る。背もたれ部２に背をもたれかけて体重をかけた場合であっても、掛止部１４及び掛止部１５がベンチＳにしっかり掛止されて荷重に抗する強度が確保されているため、座椅子Ｃが後方へ移動したり、引っくり返ってしまうことはない。
また、座部用シート１００の厚めのクッション材１５０により臀部の快適な座り心地が実現される。
また、背もたれ用シート２００のクッション材１６０や、背もたれ用パイプ２０の湾曲部２１ａによる湾曲や、背もたれ用パイプ２０の湾曲部２１ａのクッション材１７０などにより、背をもたれかけて体重をかけた場合であっても快適な座り心地が実現される。
【００３５】
使用者が座椅子Ｃから立ち上がっても、座椅子Ｃの開いた状態はそのまま保持され、また、座椅子Ｃの掛止部１４及び掛止部１５がベンチＳにしっかり掛止されているため、座椅子Ｃ自体の重量と相まって、座椅子Ｃの位置もそのまま保持される。
【００３６】
観戦終了時には、座椅子Ｃの掛止部１４、掛止部１５のベンチＳに対する掛止を解除すべく、座椅子Ｃ全体を前方に移動してベンチＳから取り外し、座椅子Ｃを再び折り畳んだ状態に戻す。
【００３７】
上記の本実施の形態の座椅子Ｃによれば、背もたれの無いベンチなどに安定的な背もたれを簡易に実現することができ、長時間の観戦等であっても腰や臀部が痛くなるなど、苦痛を感じることが少なく、疲労が蓄積しにくく、快適な座り心地を楽しむことができる。また、防水仕様のため、多少の雨や、飲料等による汚損にも耐え得る。
【００３８】
なお、本実施の形態の座椅子Ｃは、セパレート・タイプの１人掛け用の背もたれ部の無いベンチ等に用いることであってもよい。さらに、クッション性の少ない座部及び背もたれ部を有する木製・樹脂製等の椅子等にセットして用いることであってもよい。
【００３９】
その他、一々例示はしないが、本発明は、その趣旨を逸脱しない範囲内において、種々の変更が加えられて実施されてよい。例えば、取付部１１０と取付部２２０及び取付部１２０と取付部２３０が、金具３０、ボルト３１及びナット３２等を被覆するように、それぞれ一体的に形成されて安全性が高められてもよい。
【符号の説明】
【００４０】
１            座部
２            背もたれ部
１４、１５    掛止部
Ｃ            座椅子
Ｓ            ベンチ
【要約】      （修正有）【課題】背もたれの無いベンチなどに安定的な背もたれを簡易に実現する座椅子を提供すること。【解決手段】座部１の下方に背もたれの無いベンチなどの被掛止体Ｓに掛止して背もたれ部２に背をもたれかけた際の座椅子Ｃの後方への移動を規制する掛止部を備える。【選択図】図５【図１】
0005875727.tif 000002
【図２】
0005875727.tif 000003
【図３】
0005875727.tif 000004
【図４】
0005875727.tif 000005
【図５】
0005875727.tif 000006
【図６】
0005875727.tif 000007
【図７】
0005875727.tif 000008
【図８】
0005875727.tif 000009
【図９】
0005875727.tif 000010
【図１０】
0005875727.tif 000011
【図１１】
0005875727.tif 000012